(57)【要約】【課題】床面の掃除と浮遊塵埃の吸引とを同時に行うことができ、使い勝手が良く、低コストでコンパクトな電気掃除機を得る。【解決手段】床面の塵埃を吸引するための吸込み具９５が接続される第一吸気口８と、第一吸気口８よりも空気流れ下流側に設けられ、第一吸気口８と連通した集塵部２１と、集塵部２１と連通し、吸引風を発生する電動送風機３１とを有する掃除機本体１００を備え、掃除機本体１００には、集塵部２１又は集塵部２１の空気流れ上流側に連通する第二吸気口１３が形成され、第一吸気口８から吸引された空気及び第二吸気口１３から吸引された空気は、集塵部２１を通過する。【選択図】図３
2010022626.tif 000002
【特許請求の範囲】
【請求項１】
床面の塵埃を吸引するための吸込み具が接続される第１の吸気口と、
該第１の吸気口よりも空気流れ下流側に設けられ、前記第１の吸気口と連通した集塵部と、
該集塵部と連通し、吸引風を発生する電動送風機と、
を有する本体を備え、
該本体には、前記集塵部又は前記集塵部の空気流れ上流側に連通する第２の吸気口が形成され、
前記第１の吸気口から吸引された空気、及び前記第２の吸気口から吸引された空気は、
前記集塵部を通過することを特徴とする電気掃除機。
【請求項２】
前記第２の吸気口には、
該第２の吸気口を開閉する開閉手段と、
前記本体の内部から外部に向かって前記開閉手段を付勢し、前記第２の吸気口を閉じる付勢手段と、
を備えたことを特徴とする請求項１に記載の電気掃除機。
【請求項３】
前記第２の吸気口は、
前記本体の上部で、前記第１の吸気口が形成された側に形成されたことを特徴とする請求項１又は請求項２に記載の電気掃除機。
【請求項４】
前記第２の吸気口は、
前記第１の吸気口が形成された側に向かって開口していることを特徴とする請求項１〜請求項３のいずれか一項に記載の電気掃除機。
【請求項５】
前記開閉手段は、
前記第２の吸気口を開いた状態、及び前記第２の吸気口を閉じた状態で保持可能な構造であることを特徴とする請求項１〜請求項４のいずれか一項に記載の電気掃除機。
【請求項６】
前記集塵部の集塵フィルタに付着した塵埃を除去する除塵手段を備えたことを特徴とする請求項１〜請求項５のいずれか一項に記載の電気掃除機。
【発明の詳細な説明】
【技術分野】
【０００１】
本発明は、電気掃除機に関し、特に空気中に浮遊する塵埃を吸引する機能も有する電気掃除機に関するものである。
【背景技術】
【０００２】
絨毯等の床面に付着している花粉、アレルゲン、埃等の塵埃を除去するため、電気掃除機が使用されている。しかしながら、掃除動作中、使用者の歩行動作等によって、床面に付着している塵埃が空気中に飛散する場合がある。空中に飛散した塵埃は床面近傍を長時間浮遊し続けるため、口や鼻の位置が低い乳幼児等はこの空中に飛散した塵埃を吸い込みやすい。乳幼児等に吸い込まれた塵埃は、花粉症やアトピ性皮膚炎といったアレルギーを発症させる原因の１つとなる場合がある。このため、空気中に浮遊する塵埃を捕集する必要があり、従来より、空気中に浮遊する塵埃（以下、浮遊塵埃という）を吸引する機能を有した電気掃除機が提案されている。
【０００３】
このような、浮遊塵埃を吸引する機能を有した従来の電気掃除機としては、例えば「掃除機として使用する場合は、電源コード９ａの図示しないプラグをコンセントに接続するとともに、操作ハンドル２９を回動操作して切換弁９０を時計方向に回動させて貫通孔２５ａを開くとともに、貫通孔２６ａを閉じるように弁９１および９２を動作させ、ついで、掃除用電動送風機６０の駆動スイッチ（図示しない）を閉成する。つぎに、空気清浄器として使用する場合について説明する。この空気清浄器として使用には、睡眠中等に静かな状態で空気清浄を行う静音清浄と短時間の間に室内の空気を清浄する急速清浄との二つの態様がある。まず、静音清浄の態様で使用する場合は、電源コード９ａのプラグをコンセントに接続するとともに、操作ハンドル２９を回動操作して切換弁９０を反時計方向に回動させて貫通孔２５ａを閉じるとともに、貫通孔２６ａを開くように弁９１および９２を動作させ、ついで、図示しない空気清浄用電動送風機７０の駆動スイッチを閉成する。急速清浄をする場合は、前記操作ハンドル２９を回動操作して弁手段９０を反時計方向に回動させ、弁９１により貫通孔２５ａを閉じるとともに弁９２により貫通孔２６ａを開き、ついで、掃除用電動送風機６０の駆動スイッチを閉成する。」（例えば特許文献１参照）というものが提案されている。
【０００４】
また、例えば「ごみ集塵部４および電動送風機２を内蔵した掃除機本体１と、掃除機本体１と接続された吸い込みノズル９とを備え、掃除機本体１には、浮遊するごみを検知するごみ検知手段１５と、ごみ検知手段１５の出力信号により開閉するシャッター部１４を有した第２の吸気通路１２と、集塵フィルタ１３とを設けたものである。これによって、掃除中に浮遊するごみがあるときこれをごみ検知手段１５で検知し、シャッター部１４を開成して第２の吸気通路１２より浮遊ごみを自動的に吸引し、集塵フィルタ１４で除去することができる。」（例えば特許文献２参照）というものが提案されている。
【０００５】
【特許文献１】特開平１０−１５１０９７号公報（段落番号００５２，００５７，００５８，００６２、図１）
【特許文献２】特開２００７−６８６７６号公報（要約、図１）
【発明の開示】
【発明が解決しようとする課題】
【０００６】
しかしながら、例えば特許文献１に記載の電気掃除機は、使用者の判断によって、床面を掃除する機能と浮遊塵埃を吸引する機能とを切り替える必要があった。つまり、床面の掃除と浮遊塵埃の吸引とを同時に行うことができないという問題点があった。
【０００７】
また、例えば特許文献２に記載の電気掃除機は、床面に付着した塵埃を捕集する集塵袋と、浮遊塵埃を捕集する集塵フィルタが別部品となっている。このため、集塵袋と集塵フィルタを別々にメンテナンスする必要があるため、電気掃除機の使い勝手が悪くなってしまうという問題点があった。また、集塵袋と集塵フィルタは別々のものが必要となるので、コストがかかってしまうという問題点があった。また、集塵袋と集塵フィルタのそれぞれの設置スペースが必要となるため、電気掃除機が大きくなってしまうという問題点があった。
【０００８】
本発明は上述のような課題を解消するためになされたものであり、床面の掃除と浮遊塵埃の吸引とを同時に行うことができ、使い勝手が良く、低コストでコンパクトな電気掃除機を得ることを目的とする。
【課題を解決するための手段】
【０００９】
本発明に係る電気掃除機は、床面の塵埃を吸引するための吸込み具が接続される第１の吸気口と、該第１の吸気口よりも空気流れ下流側に設けられ、前記第１の吸気口と連通した集塵部と、該集塵部と連通し、吸引風を発生する電動送風機と、を有する本体を備え、該本体には、前記集塵部又は前記集塵部の空気流れ上流側に連通する第２の吸気口が形成され、前記第１の吸気口から吸引された空気、及び前記第２の吸気口から吸引された空気は、前記集塵部を通過するものである。
【発明の効果】
【００１０】
本発明においては、床面の塵埃を吸引するための吸込み具が接続される第１の吸気口に加えて第２の吸気口を設けた。このため、床面の掃除と同時に、第２の吸気口から浮遊塵埃を吸引することができる。つまり、床面の掃除と浮遊塵埃の吸引とを同時に行うことができる。
また、本発明においては、第１の吸気口から吸引された空気及び第２の吸気口から吸引された空気は同一の集塵部を通過する。このため、床面に付着した塵埃を捕集する集塵袋と、浮遊塵埃を捕集する集塵フィルタを別々にメンテナンスする必要がないので、電気掃除機の使い勝手が良くなる。また、電気掃除機には１個分の集塵部の設置スペースしか必要としないので、電気掃除機を低コストでコンパクトに製作することができる。
【発明を実施するための最良の形態】
【００１１】
実施の形態．
図１は、本発明の実施の形態に係る電気掃除機の全体構成を示す斜視図である。なお、以下の図面では、第一吸気口８が形成されている側を掃除機本体の前部として説明する。
掃除機本体１００の前部には床面の塵埃等を吸引するための第一吸気口８が設けられている。ここで、第一吸気口８が本発明の第１の吸気口に相当する。この第一吸気口８には蛇腹状のホース９９の一端が着脱可能に接続されており、ホース９９の他端には操作部９８を有する手元ハンドル９７が設けられている。使用者は、操作部９８によって掃除機本体１００（より詳しくは電動送風機）への電源入力等を操作する。手元ハンドル９７には伸縮自在なパイプ９６の一端が着脱可能に接続されており、パイプ９６の他端には吸込み具９５が着脱可能に接続されている。使用者は手元ハンドル９７を持ち、吸込み具９５を操作して、掃除機本体１００に床面の塵埃等を吸引させる。
【００１２】
図２は、本発明の実施の形態に係る電気掃除機の掃除機本体を示す斜視図である。図３は、図２のＡ−Ａ断面模式図である。また、図４は、図３のＰ部拡大図であり、（ａ）が第二吸気口が閉じた状態のＰ部拡大図、（ｂ）が第二吸気口が開いた状態のＰ部拡大図である。以下、これら図２〜図４を用いて本実施の形態に係る電気掃除機の掃除機本体について説明する。なお、図２〜図４に示す矢印は空気流れを表し、実線の矢印が第一吸気口８から吸引される空気の流れを、破線の矢印が第二吸気口１３から吸引される空気の流れを表す。
【００１３】
図２及び図３に示すように、掃除機本体１００の外郭は、円筒状の上ケース２及び有底円筒状の下ケース３からなる本体外郭部１と、上面がゆるやかな円弧状に形成された上蓋４とからなり、上蓋４の後部側はヒンジ５を介して本体外郭部１に連結され、本体外郭部１の上面開口部を開閉する。上蓋４の前側には上蓋４をロックするための、例えばラッチ機構からなるボタン６が設けられている。
【００１４】
本体外郭部１の前部にはハンドル部材７が本体外郭部１と一体的に設けられている。このハンドル部材７には、ホース９９が接続される第一吸気口８が形成されており、両側には斜め上方に延設された門型のハンドル９が設けられている。本体外郭部１の後部には延設部１０が本体外郭部１と一体的に設けられており、その後面には排気口１１が設けられている。また、本体外郭部１の底面部には複数の車輪１２が回動自在に設けられている。
【００１５】
本体外郭部１の内部は、隔壁によって２つの空間に分割されている。これら２つの空間は連通しており、前部側の空間である集塵部収容空間２０には集塵部２１が着脱可能に収容され、後部側の空間である電動送風機３１には電動送風機３１が設けられている。集塵部２１は、集塵室２２、集塵室２２の後方に設けられた集塵フィルタケース２３、及び集塵フィルタケース２３の内部に設けられた集塵フィルタ２４等から構成されている。集塵室２２は、前面部が第一吸気口８と連通しており、後面部が集塵フィルタケース２３と連通している。この集塵室２２と集塵フィルタケース２３との連通部には一次フィルタ２５が設けられている。集塵フィルタケース２３は、後面側に開口部を有しており、電動送風機室３０と連通している。この開口部には、集塵フィルタ２４が設けられている。集塵フィルタ２４は、一次フィルタ２５よりも目の細かい構造となっており、一次フィルタ２５を通過した粉塵を捕集する。
【００１６】
また、図２及び図３に示すように、本実施の形態に係る掃除機本体１００には、上蓋４の上部前側に、集塵部２１と連通する第二吸気口１３が形成されている。つまり、第二吸気口１３は、掃除機本体１００の上部の前側（第一吸気口８が形成されている側）に形成されており、前側（第一吸気口８が形成されている側）に向かって開口している。また、図３及び図４に示すように、集塵フィルタケース２３には、上面部の第二吸気口１３と対応する位置に開口部２７が形成されている。つまり、第二吸気口１３は、開口部２７を介して集塵フィルタケース２３に連通している。ここで、第二吸気口１３及び開口部２７が、本発明の第２の吸気口に相当する。
【００１７】
図４に示すように、この開口部２７の周囲には、集塵フィルタケース２３の上面部外側にパッキン２８が設けられている。これにより、上蓋４を閉じた状態では、上蓋４と集塵フィルタケース２３との間の気密性が保たれ、第二吸気口１３から吸い込まれた空気は開口部２７を介して集塵フィルタケース２３に流入する。つまり、第二吸気口１３から流入した空気が集塵フィルタケース２３に流入する風路５０が形成される。
【００１８】
集塵フィルタケース２３内部の上方には、第二吸気口１３及び開口部２７を開閉するための開閉手段４０が設けられている。この開閉手段４０は、第二吸気口１３及び開口部２７の内部に対応した筒形状をしており、上部が閉塞された形状となっている。また、開閉手段４０の下部の開口部には、ストッパ部４０ａとなる複数の舌片が形成されている。開閉手段４０の下方には、圧縮バネであるバネ４１が設けられている。ここで、バネ４１が本発明の付勢手段に相当する。このバネ４１の下部は、例えば集塵フィルタケース２３の側面部から突設された支持部４２によって支持されており、バネ４１は開閉手段４０を上方向に付勢している。つまり、このバネ４１の付勢力により、開閉手段４０は第二吸気口１３及び開口部２７を閉じる構成となっている。このとき、ストッパ部４０ａは集塵フィルタケース２３の上部内側に係止している。。図４（ａ）に示すように、開閉手段４０が第二吸気口１３及び開口部２７を閉じた状態では、開閉手段４０の側面部にはパッキン２８が接触しており、第二吸気口１３及び開口部２７と開閉手段４０との間の気密性が保たれている。なお、付勢手段はバネ４１に限らず、板バネ、ゴム、又はクッション等の弾性部材でもよい。又、ストッパ部４０ａの形状は舌片に限らず、集塵フィルタケース２３の上部内側に係止可能な形状であればよい。例えば、開閉手段４０の外周部に環状の突縁を設け、この突縁に空気流通用の連通孔を形成してもよい。
【００１９】
図４（ｂ）に示すように、開閉手段４０は、所定の力が下方向にかかると、第二吸気口１３及び開口部２７を開く構成となっている。つまり、開閉手段４０は、集塵部２１（集塵フィルタケース２３）の内部が所定の圧力以下になると、大気圧に押されて第二吸気口１３及び開口部２７を開く構成となっている。より詳しくは、開閉手段４０は、集塵部２１（集塵フィルタケース２３）の内部圧力によって開閉手段４０に付与される荷重（図４における下向き荷重）と、バネ４１の付勢力（図４における上向き荷重）との釣り合いに応じて開く構成となっている。したがって、吸込み具９５の床面との接触状態によって、第二吸気口１３及び開口部２７の開度（開閉手段４０の下降量）は調整される。
【００２０】
本実施の形態においては、床面を掃除していない状態（電動送風機３１が駆動され、吸込み具９５を床面に接触させていない状態）では第二吸気口１３及び開口部２７が閉じた状態となるように、バネ４１の付勢力が調整されている。また、床面を掃除している状態（電動送風機３１が駆動され、吸込み具９５を床面に接触させている状態）では第二吸気口１３及び開口部２７が開いた状態となるように、バネ４１の付勢力が調整されている。
【００２１】
なお、本実施の形態では、捕集した塵埃の処理を容易とするため、集塵部収容空間２０に集塵部２１を着脱可能に収容している。しかしながら、例えば、集塵部収容空間２０と電動送風機室３０との連通部に集塵フィルタ２４を設け、集塵部収容空間２０で直接塵埃を捕集してもよい。この場合、上蓋４に形成された第二吸気口１３が本発明の第２の吸気口に相当する。
【００２２】
（動作説明）
次に、本実施の形態にかかる電気掃除機の動作について説明する。
掃除機本体１００のコードリールに巻かれた電源コード（図示せず）を引き出して商用電源に接続し、操作部９８に設けられた電源スイッチ（図示せず）を入れる。これにより、電動送風機３１が駆動され、吸引風が発生する。そして、吸込み具９５から吸引された空気が、パイプ９６、ホース９９及び第一吸気口８を介して集塵部２１に流入する。この空気流によって、床面に付着している塵埃を集塵部２１に吸引する。
【００２３】
図３に示すように、この吸引された塵埃は、集塵部２１の集塵室２２に流入する。そして、一次フィルタ２５を通過出来ない大きな塵埃は、集塵室２２で捕集される。一次フィルタ２５を通過した微細な塵埃は、集塵部２１の集塵フィルタケース２３に流入する。そして、この微細な塵埃は、集塵フィルタ２４によって集塵フィルタケース２３内に捕集される。
集塵フィルタ２４を通過した清浄な空気は、電動送風機室３０を通り、排気口１１から外部に排出される。
【００２４】
上述のように、床面を掃除しているとき（電動送風機３１が駆動され、吸込み具９５を床面に接触させているとき）には、第二吸気口１３及び開口部２７は開かれた状態となっている。このため、第二吸気口１３及び開口部２７から空気が吸引され、この吸引された空気は集塵フィルタケース２３に流入する。この空気流によって、床面の掃除によって空気中に飛散した塵埃（浮遊塵埃）を集塵フィルタケース２３に吸引する。集塵フィルタケース２３に流入した塵埃は、集塵フィルタ２４によって集塵フィルタケース２３内に捕集される。これにより、掃除機本体１００の移動や吸込み具９５の床面での摺動（掃除動作）や使用者の歩行動作等によって舞い上がる塵埃（浮遊塵埃）を、空気中に拡散する前に吸引することができる。したがって、掃除をする空間を快適な環境に保つことができる。
集塵フィルタ２４を通過した清浄な空気は、電動送風機室３０を通り、排気口１１から外部に排出される。
【００２５】
なお、第二吸気口１３及び開口部２７から空気を吸引する際に吸気騒音が発生する。しかしながら、この騒音は、吸込み具９５が床面に接している状態において電動送風機３１から発生する騒音や排気騒音と比べると小さい。このため、第二吸気口１３及び開口部２７から空気を吸引する際に発生する吸気騒音を殆ど気にすることなく、床面の掃除と浮遊塵埃の吸引とを同時に行うことができる。
【００２６】
一方、床面を掃除していないとき（電動送風機３１が駆動され、吸込み具９５を床面に接触させていないとき）には、第二吸気口１３及び開口部２７は閉じられた状態となっている。床面を掃除していないときには浮遊塵埃が発生しておらず、浮遊塵埃の吸引を行う必要があまり無いからである。
吸込み具９５が床面に接していない状態では、電動送風機３１から発生する騒音や排気騒音はさほど大きくはない。このため、床面を掃除していないときに浮遊塵埃の吸引を行うと、第二吸気口１３及び開口部２７から空気を吸引する際に発生する吸気騒音が気になる場合が多い。電気掃除機の省エネルギー化や使い勝手という観点からも、床面を掃除していないときには浮遊塵埃の吸引を行わない方がよい。
【００２７】
なお、電気掃除機の使用状態等によっては、第一吸気口８からの吸引力を高めるため、床面を掃除しているときに第二吸気口１３及び開口部２７を閉じたい場合も考えられる。また、次の掃除箇所や次の掃除場所（例えば次の部屋）への移動時等、床面を掃除していないときでも、第二吸気口１３及び開口部２７を開いて浮遊塵埃を吸引したい場合も考えられる。このような場合を考慮し、例えば開閉手段４０にロック機構を備え、使用者１０１が任意に第二吸気口１３及び開口部２７の開閉及び開度を調整できる構成を付加してもよい。
【００２８】
次に、本実施の形態に係る電気掃除機に形成された第二吸気口１３及び開口部２７の最適な位置について説明する。
図５は、本実施の形態に係る電気掃除機の使用状態を示す概略図である。図５に示すように、使用者１０１は手元ハンドル９７を持ち、吸込み具９５を操作して、床面の掃除をすることになる。また、手元ハンドル９７と掃除機本体１００の第一吸気口８とは、ホース９９で接続されている。このため、床掃除を行う際、掃除機本体１００は、第一吸気口８が形成されている側が手元ハンドル９７（使用者１０１）の方向を向くこととなる。
【００２９】
したがって、第二吸気口１３及び開口部２７は、第一吸気口８が形成されている側に形成されているのが好ましい。また、第二吸気口１３及び開口部２７は、第一吸気口８が形成されている側に向かって開口しているのが好ましい。これにより、掃除機本体１００の移動や吸込み具９５の床面での摺動（掃除動作）や使用者の歩行動作等によって舞い上がる塵埃（浮遊塵埃）を、空気中に拡散摺る前に、効果的に吸引することができる。したがって、掃除をする空間を快適な環境に保つことができる。
【００３０】
なお、第二吸気口１３及び開口部２７は上記の位置に限定されるものでなく、その他の位置に設けられても本発明を実施可能である。例えば、集塵フィルタケース２３よりも空気流れ上流側と連通するように、第二吸気口１３及び開口部２７を設けてもよい。このとき、集塵部２１（集塵室２２）よりも空気流れ上流側（例えば第一吸気口）と連通するように第二吸気口１３を設けた場合、開口部２７は不要となり、第二吸気口１３が本発明の第２の吸気口となる。また、例えば第二吸気口１３に筒部を出し入れ自在に設け、吸気口の高さを調整できる機能を設けてもよい。また、例えば第二吸気口１３にルーバー等を設け、吸気口の吸引角度を調整可能としてもよい。
【００３１】
このように構成された電気掃除機においては、床面に付着した塵埃を吸引するための吸込み具９５が接続される第一吸気口８に加えて、浮遊塵埃を吸引するための第二吸気口１３及び開口部２７が設けられている。このため、床面の掃除と同時に、第二吸気口１３及び開口部２７から浮遊塵埃を吸引することもできる。また、床面に付着していた塵埃と浮遊塵埃の両方を、同じ集塵フィルタケース２３に捕集することができる。このため、浮遊塵埃を捕集するための集塵フィルタケースを新たに設ける必要がない。したがって、浮遊塵埃を捕集する集塵フィルタケースを別々にメンテナンスする必要がないので、電気掃除機の使い勝手が良くなる。また、電気掃除機には１個分の集塵フィルタケースの設置スペースしか必要としないので、電気掃除機を低コストでコンパクトに製作することができる。
【００３２】
また、第二吸気口１３及び開口部２７を開閉するための開閉手段４０と、この開閉手段４０を上方向に付勢して第二吸気口１３及び開口部２７を閉じるバネ４１とを備えたので、開閉手段４０は、集塵部２１（集塵フィルタケース２３）の内部圧力によって開閉手段４０に付与される荷重（図４における下向き荷重）と、バネ４１の付勢力（図４における上向き荷重）との釣り合いに応じて開く構成となっている。このため、浮遊塵埃が発生しているとき（床面を掃除しているとき）には浮遊塵埃を吸引し、浮遊塵埃が発生していないとき（床面を掃除していないとき）には浮遊塵埃を吸引しない電気掃除機を得ることができる。
【００３３】
また、第二吸気口１３は、第一吸気口８が形成されている側に形成されている。また、第二吸気口１３は、第一吸気口８が形成されている側に向かって開口している。このため、掃除機本体１００の移動や吸込み具９５の床面での摺動（掃除動作）や使用者の歩行動作等によって舞い上がる塵埃（浮遊塵埃）を、空気中に拡散摺る前に、効果的に吸引することができる。
【００３４】
また、第二吸気口１３及び開口部２７の開度を調整できる構成を付加することによって、床面の掃除を行っているか否かに関わらず、使用者１０１は浮遊塵埃の吸引を行うか否かを選択することができる。また、浮遊塵埃の吸引を行う際、第二吸気口１３及び開口部２７からの空気の吸引量を任意に設定することができる。
【００３５】
なお、長期間集塵フィルタ２４のメンテナンスをせずに電気掃除機を使用していると、集塵フィルタ２４が目詰まりを起こす場合がある。集塵フィルタ２４が目詰まりを起こすと、集塵フィルタ２４での圧力損失が大きくなり、第一吸気口８及び第二吸気口１３からの吸引力が低下する。したがって、使用者は、定期的に集塵フィルタケース２３のメンテナンスを行うのが好ましい。そのため、集塵フィルタ２４（集塵部２１）は、集塵部収容空間２０に着脱可能に収容されている。
【００３６】
しかしながら、集塵フィルタ２４のメンテナンス回数は少ない方が、使用者１０１にとっては使い勝手が良い。このため、例えば、集塵フィルタ２４に付着した塵埃を除去する塵埃除去手段を集塵フィルタケース２３に設けてもよい。
図６は、本実施の形態に係る集塵フィルタケース２３の一例を示す斜視図である。この図は、集塵フィルタケース２３を後部側（電動送風機室３０側）から見た斜視図である。集塵フィルタケース２３の後面部又は集塵フィルタ２４の後面部には、所定の間隔を介して平行に配置されたリブ６１が設けられている。これらリブ６１の所定の位置には、複数の突起６２が形成されている。
【００３７】
リブ６１の後方には、外周部に歯が形成されたリング状のギヤ６３が設けられている。このギヤ６３の略中心部にはボス６４が設けられており、ボス６４とギヤ６３とは複数のアーム６５（本実施の形態では３本）で接続されている。このアーム６５の１つには除塵子６６が設けられている。また、ギヤ６３は、例えば集塵フィルタケース２３の後面部に形成された軸がボス６４に形成された貫通孔に挿入されることにより、回動自在となっている。
【００３８】
ギヤ６３の外周側には、このギヤ６３と係合する中間ギヤ６７が設けられいる。また、中間ギヤ６７の外周側には、この中間ギヤ６７と係合する出力ギヤ６８が設けられており、この出力ギヤ６８は除塵駆動用モータ６９の回転軸に接続されている。
【００３９】
除塵駆動用モータ６９を駆動させると、出力ギヤ６８及び中間ギヤ６７を介してギヤ６３が回動する。このギヤ６３の回動により、除塵子６６は突起６２に衝突する。除塵子６６の突起６２との衝突部材は、例えばバネ等の付勢手段によって付勢されており、所定の荷重以上の荷重がかかると突起６２との接触を回避できる構成となっている。これにより、除塵子６６は、ギヤ６３の回動に伴って突起６２との衝突及び回避を繰り返し、集塵フィルタ２４に振動又は衝撃を与える。この振動又は衝撃によって、集塵フィルタ２４に付着した塵埃を除去する。
【００４０】
このように、集塵フィルタ２４に付着した塵埃を除去する塵埃除去手段を集塵フィルタケース２３に設けることで、集塵フィルタ２４のメンテナンス回数が少なくなり、使い勝手の良い電気掃除機を得ることができる。また、衛生的に優れ、性能を長期間保つことが可能な集塵フィルタ２４を得ることができる。
【図面の簡単な説明】
【００４１】
【図１】本発明の実施の形態に係る電気掃除機の全体構成を示す斜視図である。
【図２】本発明の実施の形態に係る電気掃除機の掃除機本体を示す斜視図である。
【図３】図２のＡ−Ａ断面模式図である。
【図４】図３のＰ部拡大図であり、（ａ）が第二吸気口が閉じた状態のＰ部拡大図、（ｂ）が第二吸気口が開いた状態のＰ部拡大図である。
【図５】本実施の形態に係る電気掃除機の使用状態を示す概略図である。
【図６】本実施の形態に係る集塵フィルタケース２３の一例を示す斜視図である。
【符号の説明】
【００４２】
１  本体外郭部、２  上ケース、３  下ケース、４  上蓋、５  ヒンジ、６  ボタン、７  ハンドル部材、８  第一吸気口、９  ハンドル、１０  延設部、１１  排気口、１２  車輪、１３  第二吸気口、２０  集塵部収容空間、２１  集塵部、２２  集塵室、２３  集塵フィルタケース、２４  集塵フィルタ、２５  一次フィルタ、２７  開口部、２８  パッキン、３０  電動送風機室、３１  電動送風機、４０  開閉手段、４０ａ  ストッパ部、４１  バネ、４２  支持部、５０  風路、６１  リブ、６２  突起、６３  ギヤ、６４  ボス、６５  アーム、６６  除塵子、６７  中間ギヤ、６８  出力ギヤ、６９  除塵駆動用モータ、９５  吸込み具、９６  パイプ、９７  手元ハンドル、９８  操作部、９９  ホース、１００  掃除機本体、１０１  使用者。
【図１】
2010022626.tif 000003
【図２】
2010022626.tif 000004
【図３】
2010022626.tif 000005
【図４】
2010022626.tif 000006
【図５】
2010022626.tif 000007
【図６】
2010022626.tif 000008